【手続補正書】
【提出日】平成27年4月8日(2015.4.8)
【手続補正１】
【補正対象書類名】特許請求の範囲
【補正対象項目名】全文
【補正方法】変更
【補正の内容】
【特許請求の範囲】
【請求項１】
差動同相および直交データを受信するための複数の入力と、
前記複数の入力に結合され、複数の電流源からの電流を結合することによってベースバンドにおいて前記差動同相および直交データの回転を可能にするように構成された複数のスイッチング素子とを備える、デバイス。
【請求項２】
前記複数の入力が、第２の複数のスイッチング素子を備える、請求項１に記載のデバイス。
【請求項３】
前記複数のスイッチング素子に結合された、回転された差動同相および直交データを出力するための別の複数のスイッチング素子をさらに備える、請求項１に記載のデバイス。
【請求項４】
前記複数の入力に結合された、可変電流源を生成するための少なくとも１つのデジタルアナログコンバータをさらに備える、請求項１に記載のデバイス。
【請求項５】
前記複数の入力に結合された定電流源をさらに備える、請求項１に記載のデバイス。
【請求項６】
前記複数の入力に結合された別の複数の入力をさらに備え、前記別の複数の入力の各入力が定電圧バイアスを受信するように構成される、請求項１に記載のデバイス。
【請求項７】
前記複数のスイッチの各スイッチが、デジタル制御信号を受信するように構成される、請求項６に記載のデバイス。
【請求項８】
差動同相および直交信号を伝達するための複数のミキサと、
前記差動同相および直交信号を受信するように構成された少なくとも１つの位相回転器であって、
複数の電流源からの電流を結合することによってベースバンドにおいて前記差動同相および直交信号の回転を可能にするように構成された複数のスイッチング素子、および
前記複数のスイッチに結合された前記複数の電流源を備える、少なくとも１つの位相回転器とを備える、デバイス。
【請求項９】
前記複数の電流源が定電流源を備える、請求項８に記載のデバイス。
【請求項１０】
前記複数の電流源が、デジタルアナログコンバータによって生成される複数の可変電流源を備える、請求項８に記載のデバイス。
【請求項１１】
前記第１の複数のスイッチおよび前記第２の複数のスイッチの各スイッチがトランジスタを備える、請求項８に記載のデバイス。
【請求項１２】
前記複数のスイッチング素子が複数のトランジスタを備え、各トランジスタが、所望の象限を選択するために制御信号を受信するように構成される、請求項８に記載のデバイス。
【請求項１３】
前記第２の複数のスイッチの各スイッチが、デジタルアナログコンバータに結合される、請求項８に記載のデバイス。
【請求項１４】
差動同相および直交データを受信するための複数の入力と、
複数の電流源からの電流を結合することによってベースバンドにおいて前記差動同相および直交データの回転を可能にするための複数のスイッチング素子とを備える、位相回転器。
【請求項１５】
前記複数のスイッチング素子が、複数の入力信号を受信するための第１の複数のトランジスタと、所望の位相シフトを選択するための第２の複数のトランジスタとを備える、請求項１４に記載の位相回転器。
【請求項１６】
前記複数のスイッチング素子が、回転された同相および直交データを伝達するための第３の複数のトランジスタをさらに備える、請求項１５に記載の位相回転器。
【請求項１７】
位相回転器において直交および同相データを受信することと、
所望の位相シフトを選択するために前記位相回転器において少なくとも１つの制御信号を受信することと、
複数の電流源からの電流を結合することによって前記所望の位相シフトに応じてベースバンドにおいて前記直交および同相データを回転させることとを備える、方法。
【請求項１８】
少なくとも１つの制御信号を前記受信することが、前記所望の位相シフトを選択するために１つまたは複数のスイッチにおいて制御信号を受信することを備える、請求項１７に記載の方法。
【請求項１９】
直交および同相データを前記受信することが、少なくとも１つの第１のスイッチにおける第１の差動同相信号と、少なくとも１つの第２のスイッチにおける第２の差動同相信号と、少なくとも１つの第３のスイッチにおける第１の差動直交信号と、少なくとも１つの第４のスイッチにおける第２の差動直交信号とを受信することを備える、請求項１７に記載の方法。
【請求項２０】
所望の位相シフトに基づいて複数の象限のうちの少なくとも１つの象限をコントローラによって選択することと、
複数の電流源からの電流を結合することによって回転された直交信号および回転された同相信号のうちの少なくとも一方を生成するために、ベースバンドにおいて直交信号および同相信号のうちの少なくとも一方を回転させることとを備える、方法。
【請求項２１】
前記選択することが、前記少なくとも１つの象限を選択するために、複数のスイッチのうちの少なくとも１つのスイッチに信号を伝達することを備える、請求項２０に記載の方法。
【請求項２２】
少なくとも１つのデジタルアナログコンバータで１つまたは複数の可変電流源を生成することをさらに備える、請求項２０に記載の方法。
【請求項２３】
前記回転させることが、前記回転された直交信号または前記回転された同相信号を備える１つまたは複数の出力信号を選択するために、複数のスイッチのうちの少なくとも１つのスイッチに制御信号を伝達することを備える、請求項２０に記載の方法。
【請求項２４】
位相回転器において直交および同相データを受信するための手段と、
複数の電流源からの電流を結合することによって前記所望の位相シフトに応じてベースバンドにおいて前記直交および同相データを回転させるための手段とを備える、デバイス。
【請求項２５】
所望の位相シフトに基づいて複数の象限のうちの少なくとも１つの象限を選択するための手段と、
複数の電流源からの電流を結合することによって回転された直交信号および回転された同相信号のうちの少なくとも一方を生成するために、ベースバンドにおいて直交信号および同相信号のうちの少なくとも一方を回転させるための手段とを備える、デバイス。
【手続補正２】
【補正対象書類名】明細書
【補正対象項目名】００７２
【補正方法】変更
【補正の内容】
【００７２】
[0087]  開示する例示的な実施形態の前述の説明は、当業者が本発明を実施または使用できるようにするために提供したものである。これらの例示的な実施形態への様々な修正は当業者には容易に明らかであり、本明細書で定義した一般原理は、本発明の趣旨または範囲から逸脱することなく他の実施形態に適用され得る。したがって、本発明は、本明細書に示す例示的な実施形態に限定されるものではなく、本明細書で開示する原理および新規の特徴と一致する最も広い範囲を与えられるべきである。
以下に、本願出願の当初の特許請求の範囲に記載された発明を付記する。
[Ｃ１]
差動同相および直交データを受信するための複数の入力と、
前記複数の入力に結合され、ベースバンドにおいて前記差動同相および直交データの回転を可能にするように構成された複数のスイッチング素子とを備える、デバイス。
[Ｃ２]
前記複数の入力が、第２の複数のスイッチング素子を備える、Ｃ１に記載のデバイス。
[Ｃ３]
前記複数のスイッチング素子に結合された、回転された差動同相および直交データを出力するための別の複数のスイッチング素子をさらに備える、Ｃ１に記載のデバイス。
[Ｃ４]
前記複数の入力に結合された、可変電流源を生成するための少なくとも１つのデジタルアナログコンバータをさらに備える、Ｃ１に記載のデバイス。
[Ｃ５]
前記複数の入力に結合された定電流源をさらに備える、Ｃ１に記載のデバイス。
[Ｃ６]
前記複数の入力に結合された別の複数の入力をさらに備え、前記別の複数の入力の各入力が定電圧バイアスを受信するように構成される、Ｃ１に記載のデバイス。
[Ｃ７]
前記複数のスイッチの各スイッチが、デジタル制御信号を受信するように構成される、Ｃ６に記載のデバイス。
[Ｃ８]
差動同相および直交信号を伝達するための複数のミキサと、
前記差動同相および直交信号を受信するように構成された少なくとも１つの位相回転器であって、
ベースバンドにおいて前記差動同相および直交信号の回転を可能にするように構成された複数のスイッチング素子、および
前記複数のスイッチに結合された電流源を備える、少なくとも１つの位相回転器とを備える、デバイス。
[Ｃ９]
前記電流源が定電流源を備える、Ｃ８に記載のデバイス。
[Ｃ１０]
前記電流源が、デジタルアナログコンバータによって生成される可変電流源を備える、Ｃ８に記載のデバイス。
[Ｃ１１]
前記第１の複数のスイッチおよび前記第２の複数のスイッチの各スイッチがトランジスタを備える、Ｃ８に記載のデバイス。
[Ｃ１２]
前記複数のスイッチング素子が複数のトランジスタを備え、各トランジスタが、所望の象限を選択するために制御信号を受信するように構成される、Ｃ８に記載のデバイス。
[Ｃ１３]
前記第２の複数のスイッチの各スイッチが、デジタルアナログコンバータに結合される、Ｃ８に記載のデバイス。
[Ｃ１４]
差動同相および直交データを受信するための複数の入力と、
ベースバンドにおいて前記差動同相および直交データの回転を可能にするための複数のスイッチング素子とを備える、位相回転器。
[Ｃ１５]
前記複数のスイッチング素子が、複数の入力信号を受信するための第１の複数のトランジスタと、所望の位相シフトを選択するための第２の複数のトランジスタとを備える、Ｃ１４に記載の位相回転器。
[Ｃ１６]
前記複数のスイッチング素子が、回転された同相および直交データを伝達するための第３の複数のトランジスタをさらに備える、Ｃ１５に記載の位相回転器。
[Ｃ１７]
位相回転器において直交および同相データを受信することと、
所望の位相シフトを選択するために前記位相回転器において少なくとも１つの制御信号を受信することと、
前記所望の位相シフトに応じてベースバンドにおいて前記直交および同相データを回転させることとを備える、方法。
[Ｃ１８]
少なくとも１つの制御信号を前記受信することが、前記所望の位相シフトを選択するために１つまたは複数のスイッチにおいて制御信号を受信することを備える、Ｃ１７に記載の方法。
[Ｃ１９]
直交および同相データを前記受信することが、少なくとも１つの第１のスイッチにおける第１の差動同相信号と、少なくとも１つの第２のスイッチにおける第２の差動同相信号と、少なくとも１つの第３のスイッチにおける第１の差動直交信号と、少なくとも１つの第４のスイッチにおける第２の差動直交信号とを受信することを備える、Ｃ１７に記載の方法。
[Ｃ２０]
所望の位相シフトに基づいて複数の象限のうちの少なくとも１つの象限を選択することと、
回転された直交信号および回転された同相信号のうちの少なくとも一方を生成するために、ベースバンドにおいて直交信号および同相信号のうちの少なくとも一方を回転させることとを備える、方法。
[Ｃ２１]
前記選択することが、前記少なくとも１つの象限を選択するために、複数のスイッチのうちの少なくとも１つのスイッチに信号を伝達することを備える、Ｃ２０に記載の方法。
[Ｃ２２]
少なくとも１つのデジタルアナログコンバータで１つまたは複数の可変電流源を生成することをさらに備える、Ｃ２０に記載の方法。
[Ｃ２３]
前記回転させることが、前記回転された直交信号または前記回転された同相信号を備える１つまたは複数の出力信号を選択するために、複数のスイッチのうちの少なくとも１つのスイッチに制御信号を伝達することを備える、Ｃ２０に記載の方法。
[Ｃ２４]
位相回転器において直交および同相データを受信するための手段と、
前記所望の位相シフトに応じてベースバンドにおいて前記直交および同相データを回転させるための手段とを備える、デバイス。
[Ｃ２５]
所望の位相シフトに基づいて複数の象限のうちの少なくとも１つの象限を選択するための手段と、
回転された直交信号および回転された同相信号のうちの少なくとも一方を生成するために、ベースバンドにおいて直交信号および同相信号のうちの少なくとも一方を回転させるための手段とを備える、デバイス。